(57)【要約】【課題】低コストで実現可能な簡易な小規模宣伝広告システムを提供する。【解決手段】このプログラムは、コンピュータにより複数の広告データをディスプレイ画面に表示するためのものである。そして、コンピュータを一定数の広告データをそれぞれアイテム番号に対応させた上で記憶する広告データ記憶手段と、全画面用音声データを記憶する音声データ記憶手段と、広告数に画面を分割し複数の広告データをディスプレイ画面に一度に全画面として表示する全表示手段と、アイテム番号順に前記広告データを順次ディスプレイ画面に表示する個別表示手段として機能させるための広告用プログラムとを有している。【選択図】　　なし【特許請求の範囲】
【請求項１】
複数の広告データをディスプレイ画面に表示するためにコンピュータを、
一定数の広告データをそれぞれアイテム番号に対応させた上で記憶する広告データ記憶手段と、
全画面用音声データを記憶する音声データ記憶手段と、
前記広告数に画面を分割し前記複数の広告データをディスプレイ画面に一度に全画面として表示する全表示手段と、
前記アイテム番号順に前記広告データを順次ディスプレイ画面に表示する個別表示手段
として機能させるための広告用プログラム。
【請求項２】
前記コンピュータを、
新規の広告データにアイテム番号を付加して入力した際に、同一アイテム番号のデータ同士を比較し、新データを前記データ記憶手段に記憶させ、旧データを削除するデータ補正手段としてさらに機能させる、請求項１に記載の広告用プログラム。
【請求項３】
前記一定数の広告データは音声データを伴う静止または動画像データであり、前記全表示手段は前記一定数の広告データの音声データの再生を排除し、前記音声データ記憶手段に記録された音声データを再生する、請求項１または２に記載の広告用プログラム。
【請求項４】
前記一定数の広告データは音声データを伴う静止または動画像データであり、前記全表示手段は前記一定数の広告データの音声データの再生を副次音声に、前記音声データ記憶手段に記録された音声データを主音声として再生する、請求項１または２に記載の広告用プログラム。
【請求項５】
請求項１〜４のいずれかに記載のプログラム済みのコンピュータと、
前記コンピュータに電気的に接続されたプロジェクタ及び音声源と、
前記プロジェクタからの画像を投影するスクリーンと
を備える宣伝広告装置。
【発明の詳細な説明】
【発明の属する技術分野】
本発明は、商店街などの複数の店舗が共同で用いる屋外ディスプレイを用いた宣伝広告システムに関する。
【従来の技術】
従来、街角の宣伝広告用ディスプレイを用いる通行人に対する宣伝広告が広く行われている。このような宣伝広告は、繁華街のビル壁等に設置される大きなオーロラビジョンなどの屋外大型ディスプレイや大型の音響装置を設置して行われる。このような宣伝広告では、複数の企業等が同一のシステムを用いて宣伝広告を行うので、時間毎に各企業の宣伝広告を放送したり、大型画面を複数に分割して宣伝広告を行ったりしている。
しかし、従来の屋外用宣伝広告は、全国規模の企業等が宣伝広告を行うことを予定したものであり、大規模なシステム乃至設備が用いられている。例えば、大型のオーロラビジョンの表示装置は、多数の発光ダイオード（ＬＥＤ）から構成され、これら無数の発光ダイオードを色彩と映像に応じて電子制御する回路も大掛かりとなっている。このため、設置や運用に高い費用がかかると共に、専門的スタッフによるソフトの設定や運用が必要とされている。
そこで、宣伝広告に大きなコストをかけることができない小規模企業や商店街などから、より簡易で小規模なシステムによる地域型の宣伝広告システムの開発が、強く望まれてきた。
【発明の解決しようとする課題】
本発明は、低コストで実現可能な簡易な小規模宣伝広告システムを提供することにある。
【解決するための手段】
発明１のプログラムは、コンピュータにより複数の広告データをディスプレイ画面に表示するためのものである。このプログラムは、コンピュータを、一定数の広告データをそれぞれアイテム番号に対応させた上で記憶する広告データ記憶手段と、全画面用音声データを記憶する音声データ記憶手段と、広告数に画面を分割し複数の広告データをディスプレイ画面に一度に全画面として表示する全表示手段と、アイテム番号順に前記広告データを順次ディスプレイ画面に表示する個別表示手段として機能させるための広告用プログラムとを有している。
発明２のプログラムは、発明１のプログラムであって、コンピュータを、新規の広告データにアイテム番号を付加して入力した際に、同一アイテム番号のデータ同士を比較し、新データを前記データ記憶手段に記憶させ、旧データを削除するデータ補正手段としてさらに機能させている。
発明３のプログラムは、発明１または２のプログラムであり、一定数の広告データは音声データを伴う静止または動画像データであって、全表示手段は一定数の広告データの音声データの再生を排除し、音声データ記憶手段に記録された音声データを再生する。
発明４のプログラムは、発明１または２のプログラムであり、一定数の広告データは音声データを伴う静止または動画像データであり、全表示手段は一定数の広告データの音声データの再生を副次音声に、音声データ記憶手段に記録された音声データを主音声として再生する。
発明５の宣伝広告装置は、発明１〜４のプログラム済みのコンピュータと、コンピュータに電気的に接続されたプロジェクタ及び音声源と、プロジェクタからの画像を投影するスクリーンとを備える。
【発明の実施の形態】
本発明の一実施形態について図面を参照しつつ説明する。
図１は、本発明にかかる宣伝広告装置を示すシステム図である。
このシステムは、データ記憶乃至データ処理をおこなうためのコンピュータと、このコンピュータに画像データなどを入力するために接続されたスキャナその他の装置と、コンピュータからの画像データを映写するためのプロジェクタと、プロジェクタからのデータを映写するためのスクリーンと、スピーカとからなる。
コンピュータは市販のパーソナルコンピュータを利用することができる。このコンピュータはスキャナ等の入力装置からの画像データなどを入力するための入力手段と、中央演算装置（ＣＰＵ）と、ハードディスク等の記憶装置と、処理済みのデータを出力する出力手段とを有している。出力手段には、市販のプロジェクタ及びスピーカが連結される。プロジェクタにはコンピュータから映像信号が送られ、ビデオ映像プロジェクタが電子的な映像信号を映像光線に変換する。例えば、このプロジェクタは建物の壁面に設置し、若しくは、商店街の天井から吊り下げる等して設置される。このようなプロジェクタとしては、例えば、１０００ルーメン以上の高輝度でかつリアルＳ−ＸＧＡ相当高解像度と各種入力機能を備えた機器が例示できる。なお、この実施形態では、プロジェクタからスクリーンへの映写を予定しているが、これに代えて、大型テレビモニタなど周知のプロジェクタ画面を用いることができる。一方、スピーカにはコンピュータから音声信号が送られる。このようなスピーカとしては、例えば、防滴仕様・超指向性でソフトサウンドを再生可能な機器などが例示できる。
図２はこのコンピュータの動作の流れを示すフローチャートである。このフローチャートに従って、以下本発明の処理を説明する。
コンピュータの中央処理装置（ＣＰＵ）は、メインメモリ中の制御プログラムの指令を受けて、スキャナから取り込むＪＰＥＧなどの静止画像データやその他のビデオ機器から入力したＭＰＥＧ等の動画画像データにアイテムナンバーを付加した上で、これらのデータを広告データとしてハードディスク等の記録装置に記憶する（Ｓ１）。例えば、入力者が各データをアイテムＡ，アイテムＢ・・・といった順にそれぞれにヘッダ情報を付加した上で入力する。入力する広告データはそれ自体に音声データを並存するものでよい。入力数ｎは任意であるが１２〜３６程度のデータ数とするのが好ましい。もっとも好ましくは１２〜１６程度のアイテム数を選択するのがよい。この入力データ数は予めユーザが任意に設定できる。このような広告アイテムは、例えば、各種商店・企業の宣伝広告であったり、商店街全体の広告であったり、システム設置場所付近のマップであったり、種々の情報でよい。
続いて、ＣＰＵは制御プログラムの指令を受けて、順次入力されてくる複数のアイテムをそれぞれのアイテム番号に対応させながらハードディスクなどの大量記憶措置に順次記憶する。データ入力数が上述のユーザが設定した入力数に至るまで、アイテム入力作業を繰り返す（Ｓ２）。なお、必要に応じて、別途、全画面用の音声データを入力する（Ｓ３）。この別途入力した音声データも、制御プログラム指令を受けたＣＰＵが大量記憶装置に記憶する。
入力アイテム数が上述のデータ入力数に満ちた後、制御プログラムの指令を受けたＣＰＵは所定の入力数ｎに（例えば、ｎ＝１６の場合、アイテムＡ〜アイテムＰ）分割した画面情報を出力手段より出力し、プロジェクタからスクリーンに画像を映写する。具体的には、図３に示すように、スクリーンを１６個に均等に分割した後に、個々のアイテムを分割した各部分で個別に放映する（Ｓ４）。この際、各アイテムの中で音声データを包含するものに関しては、その音声データは遮断されている。上述の全画面用の音声データは、これらのアイテムの全画面表示の際に、各アイテムの音声データに代えてスピーカから再生される。
このような全画面表示が終了した後、制御プログラムの指令を受けたＣＰＵは各アイテムをアイテム番号順に順次映像及び音声情報を出力し、プロジェクタからスクリーンに映写する（Ｓ５）。アイテムＡの放送を終了すると、アイテムＢの放送を行うというように、順次これらの工程を最終アイテムまで繰り返す。
これらのアイテム放送を一通り終了すると、ＣＰＵは各アイテムの更新情報を確認する（Ｓ７）。即ち、制御プログラムからの指令を受けたＣＰＵは同一アイテムが複数存在するか否かを確認する。例えば、アイテム放送中において、新たな広告アイテムをユーザが入力したような場合（Ｓ６）には、同一アイテム情報が複数存在することになるが、ＣＰＵは旧アイテムと新規アイテムとを比較検討し、旧アイテムを削除すると共に情報を新アイテムに更新して記憶する（Ｓ８）。そして、再び、更新した情報に基づいて全画面表示を行う（Ｓ４）。新たな広告アイテムが挿入されず各アイテムに変更がない場合には、そのまま、全画面表示を行うことになる（Ｓ４）。
なお、この実施形態では、アイテムの更新に関する処理をも予定しているが、係るアイテム更新処理を削除し、複数のアイテム放送を終了した状態で、一度、放送処理を終了させてもよい（図４のフローチャート参照）。
【発明の効果】
本発明によれば、比較的簡易な設備を用いて宣伝広告システムを構成できる。よって、宣伝広告に高コストを投資できない、小規模な事業主の多い商店街等で小規模な宣伝広告システムを構築できる。
【図面の簡単な説明】
【図１】本発明の一実施形態を採用した宣伝広告装置を示すシステム図。
【図２】本発明の一実施形態を採用した宣伝広告装置のフローチャート。
【図３】本発明の一実施形態を採用した宣伝広告装置の全画面表示の状態を示した図。
【図４】本発明の他の実施形態を採用した宣伝広告装置のフローチャート。
【図１】
2004086120.tif 000002
【図２】
2004086120.tif 000003
【図３】
2004086120.tif 000004
【図４】
2004086120.tif 000005